(57)【要約】【課題】他の錘を停止させることなく錘毎に駆動力を遮断して作業可能とし、かつ、糸速度を精度良く保持可能な繊維機械を提供する。【解決手段】複数の糸送り装置５００・５００・・・と、該複数の糸送り装置を共通駆動する駆動部８００と、を具備する繊維機械１において、該糸送り装置は、糸掛けにより糸を送る糸送り部５２０と、駆動部からの駆動力を伝達および遮断するクラッチ部５３０とを具備し、クラッチ部は、駆動ローラ５１４と、糸送り部と連動する従動ローラ５０７と、を具備し、駆動ローラは、従動ローラおよび駆動部からの駆動力伝達手段に設けられた伝達ローラ５５３の両方に当接した状態、および、従動ローラおよび伝達ローラのいずれか一方または両方から離間した状態、のいずれか一方を選択可能とする回動アーム５１０を設け、従動ローラおよび伝達ローラの外周部を、駆動ローラの少なくとも外周部よりも摩耗し難い部材で構成した。【選択図】図７
2005330593.tif 000002
【特許請求の範囲】
【請求項１】
複数の糸送り装置と、該複数の糸送り装置を共通駆動する駆動部と、を具備する繊維機械において、
該糸送り装置は、糸掛けにより糸を送る糸送り部と、駆動部からの駆動力を伝達および遮断するクラッチ部とを具備し、
前記クラッチ部は、駆動ローラと、糸送り部と連動する従動ローラと、を具備し、
前記駆動ローラが、従動ローラおよび駆動部からの駆動力伝達手段に設けられた伝達ローラの両方に当接した状態、および、従動ローラおよび伝達ローラのいずれか一方または両方から離間した状態、のいずれか一方を選択可能とする駆動ローラの移動手段を設け、
従動ローラおよび伝達ローラの外周部を、駆動ローラの少なくとも外周部よりも摩耗し難い部材で構成することを特徴とする繊維機械。
【請求項２】
前記駆動ローラが従動ローラおよび伝達ローラの両方に当接した状態において、該駆動ローラを従動ローラと伝達ローラの両方に当接する方向に付勢可能に構成したことを特徴とする請求項１に記載の繊維機械。
【請求項３】
前記駆動ローラは、少なくともその外周部が弾性材料からなることを特徴とする請求項２に記載の繊維機械。
【発明の詳細な説明】
【技術分野】
【０００１】
本発明は、複数の糸送り装置と、該複数の糸送り装置を共通駆動する駆動部と、を具備する繊維機械の技術に関する。より詳細には、糸送り装置への駆動力の伝達および遮断を行うクラッチの技術に関する。
【背景技術】
【０００２】
従来、複数の糸送り装置と、該複数の糸送り装置を共通駆動する駆動部と、を具備し、一つの駆動部から発生する駆動力を分配して各錘に設けられた糸送り装置を駆動する繊維機械の技術は公知である。
また、糸掛けにより糸を送る形式の糸送り装置としては、略円柱形状の糸送りローラの外周面に複数周回数にわたって螺旋状に糸を巻き付け、糸送りローラを回転駆動して当該巻き付け部分における糸との摩擦力により糸を送ることを可能とするとともに、糸送りローラと糸との間である程度のスリップを可能とすることにより糸の張力変動を緩衝可能としたものが知られている。例えば、特許文献１に記載の如くである。
【０００３】
特許文献１に記載の糸送り装置は、糸送りローラの回転軸に駆動ローラを設けるとともに、駆動部からの駆動力を伝達する駆動シャフトに伝達ローラ（特許文献１における圧接面）を設け、糸送りローラを含む糸送り装置を繊維機械の機体に回動可能に枢着することにより、前記駆動ローラが伝達ローラに当接した状態および駆動ローラが伝達ローラから離間した状態のいずれか一方を選択可能にしている。すなわち、駆動ローラと伝達ローラとの間で駆動力の伝達および遮断を行うクラッチとしての機能を付与している。
【０００４】
当該クラッチの機能を糸送り装置に付与することは、複数の糸送り装置を一つの駆動部により共通駆動する形式の繊維機械においては有効である。
これは、一つの錘に係る糸送り装置に何らかのトラブル（例えば、糸の断線）等が生じた場合でも駆動部を停止させることなく当該錘に係る糸送り装置への駆動力のみを遮断して当該錘のメンテナンス作業や復旧作業を行い、その他の錘については通常通りに作業を継続することが可能だからである。
【０００５】
【特許文献１】特開平１１−３１４８４３号公報
【発明の開示】
【発明が解決しようとする課題】
【０００６】
しかし、特許文献１に記載の糸送り装置は、以下の如き問題点を有している。
すなわち、駆動ローラまたは伝達ローラが摩耗すると駆動ローラと伝達ローラとの間の回転数の比が変化し、糸速度を精度良く維持することが困難である。
本発明は以上の如き状況に鑑み、他の錘の通常作業を停止させることなく錘毎に駆動力を遮断して作業することを可能とし、かつ、糸速度を精度良く維持することが可能な繊維機械を提供するものである。
【課題を解決するための手段】
【０００７】
本発明の解決しようとする課題は以上の如くであり、次にこの課題を解決するための手段を説明する。
【０００８】
即ち、請求項１においては、複数の糸送り装置と、該複数の糸送り装置を共通駆動する駆動部と、を具備する繊維機械において、
該糸送り装置は、糸掛けにより糸を送る糸送り部と、駆動部からの駆動力を伝達および遮断するクラッチ部とを具備し、
前記クラッチ部は、駆動ローラと、糸送り部と連動する従動ローラと、を具備し、
前記駆動ローラが、従動ローラおよび駆動部からの駆動力伝達手段に設けられた伝達ローラの両方に当接した状態、および、従動ローラおよび伝達ローラのいずれか一方または両方から離間した状態、のいずれか一方を選択可能とする駆動ローラの移動手段を設け、
従動ローラおよび伝達ローラの外周部が、駆動ローラの少なくとも外周部よりも摩耗し難い部材で構成されるものである。
【０００９】
請求項２においては、前記駆動ローラが従動ローラおよび伝達ローラの両方に当接した状態において、該駆動ローラを従動ローラと伝達ローラの両方に当接する方向に付勢可能に構成したものである。
【００１０】
請求項３においては、前記駆動ローラは、少なくともその外周部が弾性材料からなるものである。
【発明の効果】
【００１１】
本発明の効果として、以下に示すような効果を奏する。
【００１２】
請求項１においては、駆動ローラが摩耗しても、従動ローラおよび伝達ローラは摩耗することがないので、従動ローラと伝達ローラとの間の回転数の比が変化することがなく、糸送り装置による糸送り速度を精度良く保持することが可能である。
【００１３】
請求項２においては、駆動ローラが従動ローラおよび伝達ローラの両方に対して移動可能であるため、駆動ローラが摩耗しても、駆動ローラに付勢力を付与することにより従動ローラおよび伝達ローラに確実に接触させ、駆動力を伝達することが可能である。
【００１４】
請求項３においては、駆動ローラを従動ローラおよび伝達ローラに十分に密着させることが可能である。
【発明を実施するための最良の形態】
【００１５】
まず、図１を用いて、撚糸機１が利用されるミシン用糸の巻取パッケージ（巻玉）の製造方法について説明する。
この製造方法は、次の五工程よりなる。複数本の原糸を単糸単位で下撚りする下撚工程１０００と、下撚り複数本の単糸を合糸する合糸工程２０００と、合糸を上撚りする上燃工程３０００と、合糸の撚りのヒートセットを行うヒートセット工程４０００と、合糸を低接圧でソフトに巻取るソフト巻工程５０００と、である。
なお、この製造方法においては、原糸が二度の撚りを受けるため、説明の便宜上、撚りの順序に応じて、下撚り、上撚り、という区別を設けている。
そして、これらの各工程を経て原糸より染色用糸の巻玉（パッケージ）が製造され、この巻玉の糸が後工程である染色工程６０００を経て染色される。
【００１６】
下撚工程１０００は、撚糸合糸機５０に備える撚糸スピンドル装置６０（図２等、後述）を用いて、原糸の複数本が単糸単位で撚りを入れられる作業工程である。
また、合糸工程２０００は、撚糸合糸機５０に備える合糸手段である合糸ガイド７０（図２等、後述）を用いて、下撚工程１０００を経た糸を合糸する作業工程である。
前記両工程を経て合糸された糸はフランジ付きボビン１１に巻き取られて、次工程である上燃工程３０００用の給糸パッケージ３（後述）とされる。
【００１７】
上燃工程３０００は、撚糸機（上撚り機）１に備える撚糸スピンドル装置１００（図４等、後述）を用いて、合糸工程２０００で製造された合糸に撚りを加える作業工程である。
本実施の形態では、撚糸スピンドル装置１００として、二重撚糸スピンドル装置を用いており、スピンドルの一回転につき二回の撚りが合糸に加えられるものとして、錘あたりの生産量を増大させている。
【００１８】
ヒートセット工程４０００は、撚糸機１に備えるヒータ４００（図４等、後述）を用いて、上撚工程３０００を経た合糸を加熱して撚り固定する（ヒートセットする）作業工程である。
特に、ヒータ４００を通過する合糸は延伸された状態で、そのヒートセットが行われる構成である。糸送出方向でヒータ４００の前後には、糸送り手段である第一糸送り装置２００および第二糸送り装置５００が配置されているが、第一糸送り装置２００および第二糸送り装置５００により、この間に位置するヒータ４００を通過する合糸が延伸される。
【００１９】
ソフト巻工程５０００は、撚糸機１に備える巻取装置７００（図４等、後述）を用いて、ヒートセット工程４０００を経た合糸を別のボビンにソフトに巻取る作業工程である。
ここで、「ソフトに巻取る」とは、染色用糸に適した巻密度で、糸（合糸）を巻き取ること、を意味する。
【００２０】
巻取装置７００は、詳しくは後述するが、駆動回転する巻取ドラム７０１に巻取パッケージ４を接触させることで、巻取パッケージ４を従動回転させて糸を巻取る構成であるため、巻き取られる合糸の巻密度が次の要因により決定される。
まず、巻取ドラム７０１と巻取パッケージ４との接触圧が高いと、きつく巻き取られてしまうことがある。また、巻取装置７００へ送り込まれる合糸のテンション自体が高い状態で巻き取られた場合も、同様である。
このため、前記接触圧（接圧）を所定圧に調整（設定）する接圧調整手段（後述）が、前記巻取装置７００に設けられると共に、巻取装置７００への糸送り速度（巻取装置７００へ送り込まれる合糸の速度）が適切に設定されて、合糸のテンションが適切に保たれている。
つまり、「ソフトに巻取る」とは、染色用糸以外の通常の糸巻玉の巻密度に比して、低巻密度で糸巻玉を製造することを意味している。具体的には、巻取ドラム７０１に対する巻取パッケージ４の接触圧を通常より低くした状態で糸を巻き取ること、および／又は、巻取速度７００での糸巻取テンションを通常より低くした状態で糸を巻き取ること、である。
以下では、低接圧、低テンションと称する場合は、染色用糸の製造において「ソフトに巻取る」場合（染色に適した巻密度に巻取る場合）の接圧、テンションのことを指す。
【００２１】
次に、図２を用いて、前記ミシン用糸製造の二工程を担当する撚糸合糸機５０の全体構成について説明する。
撚糸合糸機５０が担当する二工程とは、前述したように、撚糸工程１０００と、合糸工程２０００と、である。
撚糸合糸機５０（図１に図示）には、一方向に沿って並設される撚糸合糸ユニット５１・５１・・・（図２に図示）が、二列に渡って背中合わせに備えられている。また、撚糸合糸ユニット５１の並設方向の一端部には、各撚糸合糸ユニット５１を駆動するための駆動装置や、該駆動装置を制御する制御盤等が、設けられている。
【００２２】
図２（ａ）、図２（ｂ）に示すように、各撚糸合糸ユニット５１には、複数の撚糸スピンドル装置６０・６０・・・（撚糸手段）と、一つの合糸ガイド７０（合糸手段）と、巻取装置８０とが、備えられている。
【００２３】
各撚糸スピンドル装置６０では、原糸が巻き取られて形成される原糸パッケージ６１より解舒された原糸６２に、撚りが入れられる。この撚糸スピンドル装置６０は、後述する撚糸スピンドル装置１００と同様に、二重撚糸スピンドル装置で構成されている。撚糸スピンドル装置１００については後述で説明しているので、同様の構成である撚糸スピンドル装置６０の説明を省略する。
【００２４】
解舒された各原糸６２は、全錘で共通に駆動されるフィードローラ６３により送られて合糸ガイド７０に至り、合糸ガイド７０で合糸された後、巻取装置８０へと送られる。
そして、合糸ガイド７０より糸送出方向下流の合糸９０が、巻取装置８０でフランジ付きボビン１１上に巻き取られて、給糸パッケージ３が形成される。
【００２５】
次に、図３、図４を用いて、前記ミシン用糸製造の三工程を担当する撚糸機１の全体構成について説明する。
撚糸機１が担当する三工程とは、前述したように、上燃工程３０００と、ヒートセット工程４０００と、ソフト巻工程５０００と、である。
撚糸機１には、図３に示すように一方向に沿って並設される撚糸ユニット２が、図４に示すように二列に渡って背中合わせに備えられている。また、撚糸ユニット２の並設方向の一端部には、各撚糸ユニット２を駆動するための駆動装置８００と、該駆動装置８００を制御する制御盤９００とが、撚糸機１に設けられている。
各撚糸ユニット２は、合糸が巻き取られた一つの給糸パッケージ３を、前記三工程を経て、一つの巻取パッケージに巻き返す装置であり、一つの撚糸ユニット２が一錘に対応している。
【００２６】
図４に示すように、撚糸ユニット２には、給糸パッケージ３から巻取パッケージ４に至る合糸５の糸経路に沿って、概略的には、次の各種装置が備えられている。撚糸スピンドル装置１００、第一糸送り装置２００、オイリング装置３００、ヒータ４００、第二糸送り装置５００、テンション緩衝装置６００、トラバース装置６５０、巻取装置７００である。
ここで、第一糸送り装置２００および第二糸送り装置５００は、撚糸スピンドル装置１００から巻取装置７００へ、合糸５を送り出すための装置である。また、テンション緩衝装置６００は、詳しくは後述するが、トラバース装置６５０の駆動による合糸５のテンション変動を緩衝するための装置である。
なお、オイリング装置３００によるオイリング処理は、製造する糸の用途等によって必要になる場合があるが、必ずしもミシン用糸の製造に必要な処理ではない。つまり、オイリング装置３００は、撚糸機１の構成に必須の要素ではなく、各撚糸ユニット２に付加的に設けられる装置となっている。
【００２７】
撚糸機１に備える各撚糸ユニット２の駆動方式について説明する。
各撚糸ユニット２は、主として全錘駆動方式で駆動され、一部の駆動部が各錘駆動方式で駆動される構成である。
各撚糸ユニット２に備える駆動部としては、撚糸スピンドル装置１００、第一糸送り装置２００、オイリング装置３００、第二糸送り装置５００、トラバース装置６５０、巻取装置７００がある。
このうち、撚糸スピンドル装置１００には単錘駆動方式が適用されており、各撚糸スピンドル装置１００には、自らを駆動するための駆動用のスピンドルモータ１０１が設けられている。
一方、第一糸送り装置２００、オイリング装置３００、第二糸送り装置５００、トラバース装置６５０、巻取装置７００には、全錘駆動方式が適用されており、これらの装置はそれぞれ、全錘で同一の駆動軸により駆動される（後述）。
【００２８】
図３、図４に示すように、全錘駆動方式の各装置を駆動する駆動軸が、駆動装置８００より撚糸ユニット２の並設方向に延設されている。
駆動装置８００より延出する駆動軸には、第一糸送り装置２００を駆動する第一糸送り駆動軸７、オイリング装置３００を駆動するオイリング駆動軸８、第二糸送り装置５００を駆動する第二糸送り駆動軸９、トラバース装置６５０を駆動するトラバース駆動軸１２、巻取装置７００を駆動するドラム駆動軸１０、がある。
そして、これらの駆動軸の駆動により、各撚糸ユニット２で対応する部分の各装置が、全錘で同時に駆動される。
【００２９】
図５、図６を用いて、駆動装置８００について説明する。
駆動装置８００には、合糸５の糸送りに関わる前記各駆動軸７・９・１０に駆動力を伝達する機構およびその駆動源と、前記トラバース駆動軸１２に駆動力を伝達する機構およびその駆動源と、前記オイリング駆動軸８に駆動力を伝達する機構およびその駆動源と、が備えられている。
ここで、第一糸送り駆動軸７、第二糸送り駆動軸９、ドラム駆動軸１０は、合糸５の糸送りに関わる駆動軸である。そして、これらの各駆動軸７・９・１０を駆動する駆動源として、メインモータ８０１が設けられている。該メインモータ８０１は、トラバース装置１２を駆動する駆動源も兼ねている。
また、オイリング駆動軸８を駆動する駆動源として、オイリングモータ８０２が設けられている。
【００３０】
糸送りに関わる駆動伝達において、メインモータ８０１より出力される駆動力が、撚糸ユニット２の並設方向の左右に駆動力を分配するギヤボックス８０３を経て、ドラム駆動軸１０、第二糸送り駆動軸９、第一糸送り駆動軸７、の順に伝達される。前記の各要素間（ドラム駆動軸１０と第二糸送り駆動軸９との間等）は、ベルトおよびプーリよりなる駆動伝達機構を介して、駆動力が伝達される。
特に、前記ベルトおよびプーリには、歯付きベルトおよび歯付きプーリが適用されており、ベルトとプーリとの間での滑りが防止されると共に、歯数の異なるプーリを交換することで、前記駆動軸１０・９・７間での回転速度比の調整が可能に構成されている。
【００３１】
糸送りに関わる駆動伝達機構は、具体的には、次の構成である。
メインモータ８０１のモータ軸に固設される第一プーリ８０４と、ギヤボックス８０３の入力軸に固設される第二プーリ８０５との間は、第一ベルト８０６を介して動力伝達可能に接続される。
ギヤボックス８０３の出力軸は、前記左右のドラム駆動軸１０・１０であり、第二プーリ８０５が固設される入力軸より入力された駆動力が、ギヤボックス８０３内に備える駆動伝達装置を介して、左右のドラム駆動軸１０・１０に均一に分配される。
各ドラム駆動軸１０にはドラムプーリ８０７が固設されると共に、各第二糸送り駆動軸９には第二糸送り入力プーリ８０８が着脱自在に固設されている。ドラムプーリ８０７と第二糸送り入力プーリ８０８との間は、第二ベルト８０９を介して動力伝達可能に接続される。
各第二糸送り駆動軸９には第二糸送り入力プーリ８０８に加えて第二糸送り出力プーリ８１０が着脱自在に固設されると共に、第一糸送り駆動軸７には第一糸送りプーリ８１１が着脱自在に固設されている。第二糸送り出力プーリ８１０と第一糸送りプーリ８１１との間は、第三ベルト８１２を介して動力伝達可能に接続される。
【００３２】
図３に示すように、各錘毎に、各駆動軸に連動する回転体として、第一糸送り駆動軸７には第一糸送りローラ２０１が設けられ、第二糸送り駆動軸９には第二糸送りローラ５０１が設けられ、ドラム駆動軸１０には前記巻取ドラム７０１が設けられている。そして、合糸５は各錘で、第一糸送りローラ２０１や第二糸送りローラ５０１により送り出されると共に、巻取ドラム７０１と接触して従動回転する巻取パッケージ４により巻き取られる。
【００３３】
本明細書において、合糸５の送り速度（以下、糸送り速度）とは、合糸５を送り出す駆動側の終端部における合糸５を送り出す速度のことを意味している。
一方、この駆動側の終端部により送り出される従動側の合糸５の実際の速度を、合糸５の移動速度としている。
つまり、糸送り速度は駆動機構側の速度であり、合糸５の移動速度は合糸５自体の速度のことであって、これらの両速度は異なる物理量を意味している。
なお、駆動側の終端部とは、合糸５と接触して送り出す前記各回転体（ローラ２０１・５０１や巻取ドラム７０１）のことであり、糸送り速度はこれらの回転体の周速度に相当する。
【００３４】
合糸５の移動速度は、基本的には、糸送り速度、つまり前記各回転体（ローラ２０１・５０１や巻取ドラム７０１）の周速度により決定されるものである。ここで、基本的とするのは、例えば、前記回転体と合糸５との間で滑りが発生する場合には、回転体の周速度と合糸５の移動速度とが完全には一致しないためである。特に、後述の第二糸送り装置５００においては、この滑りを利用して、合糸５の移動速度の微調整が行われる構成である。
一般的には、各回転体の周速度が異なる場合は、その回転体間で、合糸５が緩ませられるか、もしくは引き伸ばされることになる。つまり、合糸５に加えられるテンションが変化することになる。
例えば、糸送出方向で、下流側の回転体の周速度に対して上流側の回転体の周速度を遅らせると、合糸５のテンションが強められることになり、逆の場合は合糸５のテンションが緩められることになる。
【００３５】
ここで、前記各回転体（ローラ２０１・５０１や巻取ドラム７０１）は皆、同一の駆動源（メインモータ８０１）から駆動を得る構成であるが、該駆動源から各回転体へと至る動力伝達経路の構成の違いや、回転体自体の径の違いにより、各回転体の周速度を揃えたり、異なるものとしたりすることが可能である。
【００３６】
図５、図６を用いて、糸送りに関わる前記各回転体（ローラ２０１・５０１や巻取ドラム７０１）の周速度比の設定について説明する。
これらの周速度比の設定は、本実施の形態では、糸送りに関わる前記各駆動軸１０・９・７間での回転速度比の設定により行われる。以下、この構成について具体的に説明する。
【００３７】
前述したように、ベルトおよびプーリを介して、ドラム駆動軸１０より第二糸送り駆動軸９に駆動力が伝達され、第二糸送り駆動軸９から第一糸送り駆動軸７に駆動力が伝達される。
ここで、駆動装置８００においては、駆動軸１０・９間回転速度比と、駆動軸９・７間での回転速度比とが、変更可能に構成されている。これらの駆動速度比の変更により、各駆動軸９・７の駆動速度が変更され、前記各回転体（ここでは巻取ドラム７０１を除く）の周速度が変更される。
前記各駆動軸１０・９・７間の駆動速度比の変更は、具体的には、これらの各駆動軸１０・９・７に固設するプーリの歯数の変更により行われる。前述したように、駆動装置８００に備えるプーリは歯付きプーリで構成されており、歯の大きさが一定（モジュール一定）かつ歯数の異なるプーリに交換することで、該プーリを経由する回転速度の比が変更されることになる。
特に、第一糸送りローラ２０１と第二糸送りローラ５０１とのように、これらの駆動軸により駆動される回転体の外径が同一の場合、駆動軸間の回転速度比は、これらの回転体の周速度比と一致する。
【００３８】
例えば、第二糸送り駆動軸９から第一糸送り駆動軸７への駆動伝達において、第二糸送り出力プーリ８１０と第一糸送りプーリ８１１の歯数共に４０である場合は、第二糸送り駆動軸９と第一糸送り駆動軸７とは同じ回転速度で駆動される。ここで、第二糸送り出力プーリ８１０を、歯数が４０のプーリから歯数が４２のプーリに交換すると、第二糸送り駆動軸９に対する第一糸送り駆動軸７の回転速度比は、１０５％（４２／４０）となる。
【００３９】
駆動装置８００において、前記回転体間の周速度比変更のため、歯数を変更する対象のプーリは、つまりタイミングプーリとして設定されているのは、第二糸送り入力プーリ８０８、第二糸送り出力プーリ８１０、第一糸送りプーリ８１１である。
これらのプーリの歯数の変更により、ドラム駆動軸１０に対する第二糸送り駆動軸９の回転速度比や、第二糸送り駆動軸９に対する第一糸送り駆動軸７の駆動回転比、の調整が可能である。そして、前記各回転体（ここでは巻取ドラム７０１を除く）間での周速度比が変更される。
特に、これらのプーリ８０８・８１０・８１１は、駆動軸７・９の始端部に固設される構成であるので、ギヤボックス８０３内より延出するドラム駆動軸１０上に設けるドラムプーリ８０７などと比して、交換が容易である。
【００４０】
また、オイリング装置３００に関わる駆動伝達について説明する。
オイリングモータ８０２から出力される駆動力は、撚糸ユニット２の並設方向の左右に分配され、左右のオイリング駆動軸８・８にそれぞれ伝達される。オイリング駆動軸８には、各錘毎に、合糸５と接触するオイリングローラ３０１が固設されている。
【００４１】
オイリング装置３００に関わる駆動伝達機構は、具体的には、次の構成である。
オイリングモータ８０２のモータ軸上には、オイリング第一ギヤ８１３とオイリング第一プーリ８１４とが固設されている。そして、オイリング第一プーリ８１４と、前記左右一側のオイリング駆動軸８に固設されるオイリング第二プーリ８１５とが、オイリングベルト８１６を介して、動力伝達可能に接続される。
また、オイリング第一ギヤ８１３と噛合するオイリング第二ギヤ８１７が設けられており、該オイリング第二ギヤ８１７には、その同軸上にオイリング第一プーリ８１４が固設されている。そして、オイリング第一プーリ８１４と、前記左右他側のオイリング駆動軸８に固設されるオイリング第二プーリ８１５とが、オイリングベルト８１６を介して、動力伝達可能に接続される。
【００４２】
以下では、図７、図８、図９および図１０を用いて、第二糸送り装置５００について説明する。
第二糸送り装置５００は、撚糸スピンドル装置１００から第一糸送り装置２００、オイリング装置３００、ヒータ４００を経て送られてきた合糸５を、テンション緩衝装置６００を経て巻取装置７００に送るためのものである。
第二糸送り装置５００は糸掛けにより糸を送る形式の糸送り装置であり、主に糸掛けにより糸を送る糸送り部５２０と、糸送り部５２０への駆動力の伝達および遮断を行うクラッチ部５３０とを具備している。
ここで、「糸掛けにより糸を送る形式」とは、ローラの外周面に糸を一回または複数回巻き付けて回転駆動させ、当該巻き付け部分に生じる摩擦力により糸を送る形式を指す。なお、糸が巻き付けられる部材は略円周状の外周面を有し、回転駆動されるもの（例えばボウル等）であれば良く、ローラに限定されない。
【００４３】
以下では、糸送り部５２０の詳細構成について説明する。
糸送り部５２０は主に、第二糸送りローラ５０１、回転軸５０２、ハウジング５０３、ベアリング５０４、ブラケット５０５、ガイドローラ５０６等で構成される。
第二糸送りローラ５０１は略円柱形状の外形を有する部材であり、回転軸５０２の一端に固設される。ハウジング５０３はその内部にベアリング５０４を収容し、該ベアリング５０４を介して回転軸５０２の中途部を回転可能に軸支する。ブラケット５０５は撚糸機１の機体に固設される板状の部材であり、ハウジング５０３が該ブラケット５０５に固設される。ブラケット５０５の上部には、略円柱形状のガイドローラ５０６が回転可能に枢着されている。
このとき、ガイドローラ５０６の軸線方向と、第二糸送りローラ５０１の軸線方向（すなわち、回転軸５０２の軸線方向）との関係は、側面視では互いに略平行であるが、平面視（図８）では所定の角度を成して交差する。また、ガイドローラ５０６は第二糸送りローラ５０１に干渉しないように所定の間隔を空けて第二糸送りローラ５０１の上方に配置される。
【００４４】
ヒートセット工程４０００（図１参照）から送られてきた合糸５は、撚糸機１の機体から突設されたステー５５１に回転自在に軸支されたガイドローラ５５２を経て、第二糸送りローラ５０１の外周面（本実施例においては、より厳密には第二糸送りローラ５０１の外周面の下半部）とガイドローラ５０６（本実施例においては、より厳密にはガイドローラ５０６の外周面の上半部）の間を螺旋状に複数周回分巻き付けられ、ソフト巻工程５０００（図１参照）に送られる。
このとき、ガイドローラ５０６の軸線方向と、第二糸送りローラ５０１の軸線方向とが平面視で交差しているため、合糸５が重なり合って絡まることがなく、合糸５を第二糸送りローラ５０１およびガイドローラ５０６に螺旋状に複数周回分巻き付けることが可能である。
【００４５】
第二糸送り装置５００は、合糸５の第二糸送りローラ５０１への糸掛け、つまり、第二糸送りローラ５０１と合糸５との摩擦接触を利用して、合糸５を第二糸送りローラ５０１の駆動により、合糸５を送り出す装置である。
合糸５は、より詳しくは第二糸送りローラ５０１およびガイドローラ５０６に糸掛けされて、これらのローラに保持されるものである。
ここで、合糸５の巻数を増やすにつれ、第二糸送りローラ５０１に対する合糸５との接触長さが増大して、合糸５が第二糸送りローラ５０１に摩擦により保持される程度が大きくなる。
逆に、合糸５の巻数が減るにつれ、合糸５が第二糸送りローラ５０１に摩擦により保持される程度が小さくなる。言い換えると、合糸５が第二糸送りローラ５０１に対して滑りやすくなる。そして、合糸５が第二糸送りローラ５０１に対して滑ることで、合糸５の移動速度が第二糸送りローラ５０１の周速度に対して減速されることになる。
つまり、第二糸送り装置５００では、第二糸送りローラ５０１およびガイドローラ５０６への合糸５の巻数を変更することで、合糸５の移動速度を調整可能としている。
【００４６】
以下では、クラッチ部５３０の詳細構成について説明する。
クラッチ部５３０は主に、従動ローラ５０７、ブラケット５０８、ブラケット５０９、回動アーム５１０、回動支点軸５１１、ノブ５１２、支軸５１３、駆動ローラ５１４、ピン５１５、バネ５１６、ストッパ５１７等で構成される。
【００４７】
従動ローラ５０７は略円柱形状の金属製の部材であり、回転軸５０２の他端（ハウジング５０３を挟んで第二糸送りローラ５０１が固設されている端部と反対側の端部）に固設される。すなわち、従動ローラ５０７と第二糸送りローラ５０１とは連動して（一体的に）回転可能に構成されている。
【００４８】
ブラケット５０８およびブラケット５０９はその板面が所定の間隔を空けて対向するように撚糸機１の機体に固設される板状の部材である。ブラケット５０８およびブラケット５０９は後述する回動アーム５１０を撚糸機１に回動可能に枢着するための部材である。
【００４９】
回動アーム５１０は略角柱状の部材であり、その一端（基部）には回動支点軸５１１が設けられている。そして、ブラケット５０８・ブラケット５０９には長孔５１８・５１８が穿設され、回動支点軸５１１の両端が該長孔５１８・５１８に貫装される。このようにして、回動アーム５１０はブラケット５０８およびブラケット５０９に対して回動可能に枢着される。
また、回動アーム５１０の他端（先端部）にはノブ５１２が設けられており、作業者が該ノブ５１２を握って回動アーム５１０を容易に回動させることができる。
このとき、平面視（図８）で従動ローラ５０７を挟んで第二糸送りローラ５０１の反対側となる位置に回動アーム５１０が配置される。
【００５０】
支軸５１３は回動アーム５１０の中途部から突設される略円柱形状の部材である。支軸５１３は従動ローラ５０７が配置される方に向かって突出しており、支軸５１３の軸線方向は回転軸５０２の軸線方向と略平行である
【００５１】
駆動ローラ５１４は略円柱形状の部材であり、少なくともその外周部がゴム等の弾性材料で構成される。駆動ローラ５１４は支軸５１３の先端部に回転自在に軸支される。
【００５２】
ピン５１５は従動ローラ５０７に対向する側のブラケット５０９に設けられる部材であり、バネ５１６の一端が係止される。
バネ５１６は巻きバネ等からなり、ピン５１５と支軸５１３の中途部との間に介装される。バネ５１６はいわゆる支点越え式の付勢手段となっており、支軸５１３がピン５１５と回動支点軸５１１とを結ぶ直線よりも下方に位置するとき（図９参照）には回動アーム５１０を下方に回動させる方向に付勢し、支軸５１３がピン５１５と回動支点軸５１１とを結ぶ直線よりも上方に位置するとき（図１０参照）には回動アーム５１０を上方に回動させる方向に付勢する。
【００５３】
ブラケット５０８およびブラケット５０９において、長孔５１８・５１８が穿設された位置の上方となる位置にはストッパ５１７が設けられている。
【００５４】
以下では、図７、図９および図１０を用いて、クラッチ部５３０の動作について説明する。
【００５５】
図７および図９に示す「クラッチ入」の状態は、駆動部８００からの駆動力が糸送り部５２０に伝達される状態である。
図７および図９に示す如く、回動アーム５１０を下方に回動すると、駆動ローラ５１４が、従動ローラ５０７、および第二糸送り駆動軸９に設けられる金属製の部材である伝達ローラ５５３、の両方に当接する。
また、回動アーム５１０は、駆動ローラ５１４を従動ローラ５０７と伝達ローラ５５３の両方に当接する方向に付勢される。
従って、駆動部８００からの駆動力は第二糸送り駆動軸９→伝達ローラ５５３→駆動ローラ５１４→従動ローラ５０７→回転軸５０２→第二糸送りローラ５０１の順に伝達され、第二糸送ローラ５０１が回転駆動される。
【００５６】
なお、回動アーム５１０の回動支点軸５１１をブラケット５０８およびブラケット５０９に回動可能に枢着するための長孔５１８・５１８は、その長手方向が回転軸５０２の軸中心と第二糸送り駆動軸９の軸中心とを結んだ線に略直交する。そのため、駆動ローラ５１４が摩耗した時に、回動アーム５１０は長孔５１８・５１８の長手方向に沿って移動し、駆動ローラ５１４と従動ローラ５０７とが離れるのを防止することが可能である。なお、回動アーム５１０の回動量を調整することにより、駆動ローラ５１４と伝達ローラ５５３とが離れることを防止している。
このように構成することにより、仮に駆動ローラ５１４が摩耗して駆動ローラ５１４の直径が変化した（小さくなった）場合でも、駆動ローラ５１４を従動ローラ５０７と伝達ローラ５５３の両方に確実に当接させることが可能である。
【００５７】
図１０に示す「クラッチ切」の状態は、駆動部８００からの駆動力が遮断された（駆動部８００からの駆動力が糸送り部５２０に伝達されない）状態である。
図１０に示す如く、回動アーム５１０を上方に回動すると、駆動ローラ５１４が、伝達ローラ５５３から離間する。
また、回動アーム５１０は、バネ５１６により上方に回動する方向、すなわち、駆動ローラ５１４を伝達ローラ５５３から離間する方向に付勢される。従って、駆動部８００からの駆動力は伝達ローラ５５３と従動ローラ５０７との間で遮断されて第二糸送りローラ５０１に伝達されず、第二糸送りローラ５０１は回転駆動されない。
【００５８】
以上の如く、第二糸送り装置５００は、糸掛けにより糸を送る糸送り部５２０と、駆動部８００からの駆動力を伝達および遮断するクラッチ部５３０とを具備し、クラッチ部５３０は、駆動ローラ５１４と、糸送り部５２０と連動する従動ローラ５０７と、を具備し、駆動ローラ５１４が、従動ローラ５０７および駆動部８００からの駆動力伝達手段（本実施例の場合、第二糸送り駆動軸９）に設けられた伝達ローラ５５３の両方に当接した状態（クラッチ入）、および、伝達ローラ５５３から離間した状態（クラッチ切）、のいずれか一方を選択可能な駆動ローラの移動手段（本実施例の場合、回動アーム５１０に相当する）を設け、かつ、従動ローラ５０７および伝達ローラ５５３の外周部を、駆動ローラ５１４の少なくとも外周部よりも摩耗し難い部材で構成している（本実施例の場合、従動ローラ５０７および伝達ローラ５５３を金属製の部材で構成し、駆動ローラ５１４の外周部をゴム等の弾性材料で構成している）。
【００５９】
このように構成することにより、駆動ローラ５１４が摩耗しても、従動ローラ５０７および伝達ローラ５５３は摩耗することがないので、従動ローラ５０７と伝達ローラ５５３との間の回転数の比が変化することがなく、第二糸送り装置５００による糸送り速度を精度良く保持することが可能である。
【００６０】
また、第二糸送り装置５００は、駆動ローラ５１４が従動ローラ５０７および伝達ローラ５５３の両方に当接した状態において、該駆動ローラ５１４を従動ローラ５０７と伝達ローラ５５３の両方に当接する方向に付勢可能に構成している。
【００６１】
このように構成することにより、駆動ローラ５１４が従動ローラ５０７および伝達ローラ５５３の両方に対して移動可能であるため、駆動ローラ５１４が摩耗しても、駆動ローラ５１４に付勢力を付与することにより従動ローラ５０７および伝達ローラ５５３に確実に接触させ、駆動力を伝達することが可能である。
【００６２】
さらに、第二糸送り装置５００は、駆動ローラ５１４は、少なくともその外周部が弾性材料からなるものである。
【００６３】
このように構成することにより、駆動ローラ５１４を従動ローラ５０７および伝達ローラ５５３に十分に密着させることが可能である。
【図面の簡単な説明】
【００６４】
【図１】ミシン用糸の巻取パッケージ（巻玉）の製造方法の工程図である。
【図２】撚糸合糸ユニットの全体図であり、特に（ａ）図は並設方向の側方より見た図、（ｂ）図は並設方向より見た図である。
【図３】撚糸ユニットの並設方向の側方より見た撚糸機の全体図である。
【図４】撚糸ユニットの並設方向より見た撚糸ユニットのレイアウト図である。
【図５】撚糸ユニットの並設方向より見た各駆動軸間の動力伝達構成を示す図である。
【図６】撚糸ユニットの並設方向の側方より見た各駆動軸間の動力伝達構成を示す図である。
【図７】第二糸送り装置を示す斜視図である。
【図８】第二糸送り装置を示す平面図である。
【図９】「クラッチ入」の状態における第二糸送り装置を示す図である。
【図１０】「クラッチ切」の状態における第二糸送り装置を示す図である。
【符号の説明】
【００６５】
１        撚糸機（繊維機械）
５００    第二糸送り装置
５０７    従動ローラ
５１４    駆動ローラ
５２０    糸送り部
５３０    クラッチ部
５５３    伝達ローラ
【図１】
2005330593.tif 000003
【図２】
2005330593.tif 000004
【図３】
2005330593.tif 000005
【図４】
2005330593.tif 000006
【図５】
2005330593.tif 000007
【図６】
2005330593.tif 000008
【図７】
2005330593.tif 000009
【図８】
2005330593.tif 000010
【図９】
2005330593.tif 000011
【図１０】
2005330593.tif 000012